(57)【要約】【課題】大流量に対応した大型ポンプを用いることなく所望の湯温を得ることが可能なヒートポンプ式給湯装置を提供すること。【解決手段】制御装置１００は、給湯用熱交換器２２による貯湯目標温度が所定温度より低く、かつ温度センサ１５もしくは温度センサ５２が検出する循環回路２０内への供給水温が所定温度より高い場合には、他の場合よりヒートポンプ装置２の加熱能力を低減する。したがって、循環回路２０に吸入される水の温度が高い場合や、貯湯目標温度が低い場合であっても、沸き上げ温度が上昇異常を発生することはない。このようにして、大能力の大型の循環ポンプを採用しなくても、所望の湯温を得ることができる。【選択図】        図１
2004361045.tif 000002
【特許請求の範囲】
【請求項１】
圧縮機（２１）、給湯用熱交換器（２２）、減圧装置（２３）および熱源用熱交換器（２４）を環状に接続して構成するヒートポンプサイクル（２）と、
供給された水が前記給湯用熱交換器（２２）を通って流通できる流通路（２０）と、
前記流通路（２０）に前記水を流通させるポンプ手段（５０）とを備え、
前記ポンプ手段（５０）が前記流通路（２０）内に流通する水が、前記給湯用熱交換器（２２）で前記ヒートポンプサイクル（２）内を循環する冷媒との熱交換により加熱され湯となるヒートポンプ式給湯装置において、
前記給湯用熱交換器（２２）による前記水の加熱目標温度が低くなるに応じて、前記ヒートポンプサイクル（２）の加熱能力が低減されることを特徴とするヒートポンプ式給湯装置。
【請求項２】
前記ヒートポンプサイクル（２）は、前記流通路（２０）内に供給される前記水の温度が高くなるに応じて、前記加熱能力が低減されることを特徴とする請求項１に記載のヒートポンプ式給湯装置。
【請求項３】
圧縮機（２１）、給湯用熱交換器（２２）、減圧装置（２３）および熱源用熱交換器（２４）を環状に接続して構成するヒートポンプサイクル（２）と、
供給された水が前記給湯用熱交換器（２２）を通って流通できる流通路（２０）と、
前記流通路（２０）に前記水を流通させるポンプ手段（５０）とを備え、
前記ポンプ手段（５０）が前記流通路（２０）内に流通する水が、前記給湯用熱交換器（２２）で前記ヒートポンプサイクル（２）内を循環する冷媒との熱交換により加熱され湯となるヒートポンプ式給湯装置において、
前記流通路（２０）内に供給される前記水の温度が高くなるに応じて、前記ヒートポンプサイクル（２）の加熱能力が低減されることを特徴とするヒートポンプ式給湯装置。
【請求項４】
前記ヒートポンプサイクル（２）は、前記減圧装置（２３）の弁開度および前記圧縮機（２１）の冷媒吐出能力の少なくともいずれかが変更されることにより、前記加熱能力が低減されることを特徴とする請求項１ないし請求項３のいずれか１つに記載のヒートポンプ式給湯装置。
【請求項５】
前記ヒートポンプサイクル中に、前記給湯用熱交換器から流出した高圧冷媒の圧力エネルギーを速度エネルギーに変換して冷媒を減圧膨張させる開度を変更可能なノズル部と、前記ノズル部から噴射する高速の冷媒流により前記熱源用熱交換器にて蒸発した気相冷媒を吸引し、前記ノズル部から噴射する冷媒と前記熱源用熱交換器から吸引した冷媒とを混合させながら速度エネルギーを圧力エネルギーに変換して冷媒の圧力を昇圧させる昇圧部とを有するエジェクタを備え、
前記減圧装置は、前記ノズル部からなることを特徴とする請求項１ないし請求項４のいずれか１つに記載のヒートポンプ式給湯装置。
【請求項６】
前記圧縮機（２１）は、冷媒を臨界圧以上に圧縮して吐出することを特徴とする請求項１ないし請求項５のいずれか１つに記載のヒートポンプ式給湯装置。
【請求項７】
前記冷媒は、二酸化炭素であることを特徴とする請求項６に記載のヒートポンプ式給湯装置。
【発明の詳細な説明】
【０００１】
【発明の属する技術分野】
本発明は、ヒートポンプサイクルに冷媒を循環して水を加熱し湯とするヒートポンプ式給湯装置に関する。
【０００２】
【従来の技術】
従来から、圧縮機、給湯用熱交換器、減圧装置および熱源用熱交換器を環状に接続して構成されたヒートポンプサイクルに冷媒を循環し、給湯用熱交換器内でヒートポンプサイクル中の冷媒と流通路を流れる水とを熱交換するヒートポンプ式給湯装置が知られている。これにより、流通路内を流れる水は給湯用熱交換器内において加熱され、給湯用の湯となる。
【０００３】
このようなヒートポンプ式給湯装置では、ヒートポンプサイクルによる加熱能力を一定とするとともに、流通路に設けたポンプの能力を変更して流通水量を調節し、給湯用熱交換器で加熱された湯が目標温度（所望温度）となるようにしている。
【０００４】
【発明が解決しようとする課題】
しかしながら、上記従来のヒートポンプ式給湯装置では、目標温度が低い場合や流通路に供給される水の温度が高い場合には、ポンプの能力が不足し給湯用熱交換器で加熱された湯の温度が目標温度より高くなるという不具合を発生することがある。この不具合を防止するためには、大流量を発生可能な大型のポンプを採用するという手段もあるが、給湯装置の体格が大きくなるという問題がある。
【０００５】
本発明は、上記点を鑑みてなされたものであって、大型ポンプを用いることなく所望の湯温を得ることが可能なヒートポンプ式給湯装置を提供することを目的とする。
【０００６】
【課題を解決するための手段】
上記目的を達成するため、請求項１に記載の発明では、
圧縮機（２１）、給湯用熱交換器（２２）、減圧装置（２３）および熱源用熱交換器（２４）を環状に接続して構成するヒートポンプサイクル（２）と、
供給された水が給湯用熱交換器（２２）を通って流通できる流通路（２０）と、
流通路（２０）に前記水を流通させるポンプ手段（５０）とを備え、
ポンプ手段（５０）が流通路（２０）内に流通する水が、給湯用熱交換器（２２）でヒートポンプサイクル（２）内を循環する冷媒との熱交換により加熱され湯となるヒートポンプ式給湯装置において、
給湯用熱交換器（２２）による前記水の加熱目標温度が低くなるに応じて、ヒートポンプサイクル（２）の加熱能力が低減されることを特徴としている。
【０００７】
これによると、加熱後の目標温度が比較的低い場合に、ポンプ手段（５０）が流通路（２０）に大量の水を流通させなくても所望の湯温を得ることが可能である。したがって、大能力を有する大型のポンプ手段を用いることなく所望の湯温を得ることができる。
【０００８】
また、請求項２に記載の発明では、請求項１に記載の発明において、ヒートポンプサイクル（２）は、流通路（２０）内に供給される水の温度が高くなるに応じて、加熱能力が低減されることを特徴としている。
【０００９】
これによると、加熱前の供給水温が比較的高い場合にも、ポンプ手段（５０）が流通路（２０）に大量の水を流通させなくても所望の湯温を得ることが可能である。したがって、大能力を有する大型のポンプ手段を用いることなく所望の湯温を確実に得ることができる。
【００１０】
また、請求項３に記載の発明では、
圧縮機（２１）、給湯用熱交換器（２２）、減圧装置（２３）および熱源用熱交換器（２４）を環状に接続して構成するヒートポンプサイクル（２）と、
供給された水が給湯用熱交換器（２２）を通って流通できる流通路（２０）と、
流通路（２０）に前記水を流通させるポンプ手段（５０）とを備え、
ポンプ手段（５０）が流通路（２０）内に流通する水が、給湯用熱交換器（２２）でヒートポンプサイクル（２）内を循環する冷媒との熱交換により加熱され湯となるヒートポンプ式給湯装置において、
流通路（２０）内に供給される前記水の温度が高くなるに応じて、ヒートポンプサイクル（２）の加熱能力が低減されることを特徴としている。
【００１１】
これによると、加熱前の供給水温が比較的高い場合に、ポンプ手段（５０）が流通路（２０）に大量の水を流通させなくても所望の湯温を得ることが可能である。したがって、大能力を有する大型のポンプ手段を用いることなく所望の湯温を得ることができる。
【００１２】
また、請求項４に記載の発明のように、ヒートポンプサイクル（２）の加熱能力の低減は、減圧装置（２３）の弁開度および圧縮機（２１）の冷媒吐出能力の少なくともいずれかを変更することにより行なうことができる。
【００１３】
また、請求項５に記載の発明では、
ヒートポンプサイクル中に、給湯用熱交換器から流出した高圧冷媒の圧力エネルギーを速度エネルギーに変換して冷媒を減圧膨張させる開度を変更可能なノズル部と、ノズル部から噴射する高速の冷媒流により熱源用熱交換器にて蒸発した気相冷媒を吸引し、ノズル部から噴射する冷媒と熱源用熱交換器から吸引した冷媒とを混合させながら速度エネルギーを圧力エネルギーに変換して冷媒の圧力を昇圧させる昇圧部とを有するエジェクタを備え、
減圧装置は、ノズル部からなることを特徴としている。
【００１４】
このように、ヒートポンプサイクル中にエジェクタを備える所謂エジェクタサイクルにおいても、エジェクタのノズル部は冷媒の減圧装置として機能するので、本発明を適用することができる。
【００１５】
また、請求項６に記載の発明では、圧縮機（２１）は、冷媒を臨界圧以上に圧縮して吐出することを特徴としている。
【００１６】
圧縮機（２１）の吐出側圧力が冷媒の臨界圧以上となる所謂超臨界冷凍サイクルからなるヒートポンプサイクル（２）によれば、高温の湯を得ることが可能である。このように、高温の湯が容易に得られる給湯装置において、本発明により、大型のポンプ手段を用いることなく高温から低温まで所望の湯温を得ることができる効果は大きい。
【００１７】
また、請求項７に記載の発明のように、ヒートポンプサイクル（２）中の冷媒は、具体的には、二酸化炭素とすることができる。
【００１８】
なお、上記各手段に付した括弧内の符号は、後述する実施形態記載の具体的手段との対応関係の一例を示す。
【００１９】
【発明の実施の形態】
以下、本発明の実施の形態を図に基づいて説明する。
【００２０】
図１は本実施形態のヒートポンプ式給湯装置の概略構成を示す模式図である。
【００２１】
１は耐食性に優れた金属製（例えばステンレス製）の貯湯タンクであり、外周部に図示しない断熱材が配置されており、給湯用の高温の湯を長時間に渡って保温することができるようになっている。下部には導入口１１が設けられ、この導入口１１には貯湯タンク１内に水道水を導入する給水経路である導入管１２が接続されている。
【００２２】
そして、導入管１２には、貯湯タンク１内に導入される水道水の温度を検出する温度センサ１５が配設されている。温度センサ１５は、貯湯タンク１内へ導入される水道水の温度情報を後述する制御装置１００に出力するようになっている。
【００２３】
一方、貯湯タンク１の上部には導出口１３が設けられ、導出口１３には貯湯タンク１内の高温の湯を導出するための給湯経路である導出管１４が接続されている。導出管１４には、図示しない水道水の給水配管との合流点に、図示しない混合弁が配置され、混合弁は開口面積比（導出管１４に連通する湯側の開度と給水配管に連通する水側の開度の比率）を調節することにより、下流側にあるカラン、シャワー、風呂等に高温の湯と水とを適宜混合して給湯するようになっている。
【００２４】
貯湯タンク１の下部には、貯湯タンク１内の水を吸入するための吸入口１８が設けられ、貯湯タンク１の上部には、貯湯タンク１内に湯を吐出する吐出口１９が設けられている。吸入口１８と吐出口１９とは循環回路（流通路に相当）２０で接続されており、循環回路２０の一部は後述するヒートポンプ装置（ヒートポンプサイクル）２の給湯用熱交換器２２内に配置されている。
【００２５】
循環回路２０の給湯用熱交換器２２より上流側には、循環回路２０に貯湯タンク２内の下部の水を上部に向かって流通する（循環する）ためのポンプ手段である循環ポンプ５０が配設されている。なお、循環ポンプ５０の配設位置は循環回路２０の給湯用熱交換器２２より上流側に限定されず、下流側であってもよい。
【００２６】
そして、循環回路２０の循環ポンプ５０と給湯用熱交換器２２との間には、循環回路２０の上流側部を介して貯湯タンク２内の下部から給湯用熱交換器２２に流入する水の温度を検出する温度センサ５２が配設されている。温度センサ５２は、給湯用熱交換器２２に供給される水（給湯用熱交換器２２に加熱される前の水）の温度情報を後述する制御装置１００に出力するようになっている。なお、温度センサ５２は、循環回路２０の循環ポンプ５０より上流側に配設されるものであってもよい。
【００２７】
一方、循環回路２０の給湯用熱交換器２２より下流側には、循環回路２０を流れる湯（給湯用熱交換器２２により加熱された湯）の温度を検出する湯温検出手段である温度センサ５１が配設されている。温度センサ５１は、貯湯タンク１内へ戻る湯の温度情報を後述する制御装置１００に出力するようになっている。
【００２８】
２はヒートポンプ装置であり、ヒートポンプ装置２は、圧縮機２１、給湯用熱交換器２２、膨張弁（減圧装置に相当）２３、室外熱交換器（熱源用熱交換器に相当）２４、アキュムレータ２５を順次配管接続して構成され、冷媒として二酸化炭素（ＣＯ２）を使用している。圧縮機２１は、内蔵する電動モータ（図示しない）によって駆動され、アキュムレータ２５より吸引した気相冷媒を臨界圧力以上まで圧縮して吐出する。なお、圧縮機２１の駆動源は電動モータに限定されず、エンジン等の動力源であってもよい。
【００２９】
給湯用熱交換器２２は、圧縮機２１より吐出された高温冷媒（ホットガス）と循環ポンプ５０により貯湯タンク１内から供給された水とを熱交換するもので、冷媒が流れる冷媒通路（図示しない）と、水が流れる水通路（図示しない）とを有し、冷媒通路を流れる冷媒の流れ方向と水通路を流れる水の流れ方向とが対向するように構成されている。なお、給湯用熱交換器２２を流れる冷媒（ＣＯ２）は、圧縮機２１で臨界圧力以上に加圧されているので、給湯用熱交換器２２を流通する水に放熱して温度低下しても凝縮することはない。
【００３０】
膨張弁２３は、給湯用熱交換器２２から流出する冷媒を弁開度に応じて減圧する減圧装置で、後述する制御装置１００によって弁開度を電気的に制御される。
【００３１】
室外熱交換器２４は、膨張弁２３で減圧された冷媒をファン２４ａによって送風される外気との熱交換によって蒸発させる。アキュムレータ２５は、室外熱交換器２４より流出する冷媒を気液分離して、気相冷媒のみを圧縮機２１に吸引させるとともに、サイクル中の余剰冷媒を蓄えている。
【００３２】
制御手段である制御装置１００は、温度センサ１５、５１、５２からの温度情報等に基づいて圧縮機２１（実質的には駆動源である電動モータ）、膨張弁２３、ファン２４ａおよび循環ポンプ５０を通電制御するとともに、圧縮機２１の作動状態や膨張弁２３の開度等を監視している。制御装置１００は、圧縮機２１等を制御し、室外熱交換器２４で外気から吸熱し、給湯用熱交換器２２で循環回路２０を流通する水を加熱するようになっている。また、制御装置１００は、給湯用熱交換器２２により加熱され貯湯タンク１内に戻る湯の温度が目標温度となるように、温度センサ５１からの温度情報の基づいて制御信号を出力し、循環ポンプ５０を作動制御するようになっている。
【００３３】
次に、上記構成に基づき、本実施形態のヒートポンプ式給湯装置が貯湯タンク１内の湯を沸き上げる作動について説明する。
【００３４】
制御装置１００は、ヒートポンプ式給湯装置に電力供給されているときには、図示しない操作盤のスイッチ等からの信号や設定条件（例えば時刻条件）等に基づいて、沸き上げ運転制御を実行する。
【００３５】
制御装置１００は、まず、図２に示すマップに基づき、平均給水温度と目標沸き上げ温度とから決定される加熱能力でヒートポンプ装置２を運転する。ここで平均給水温度とは、例えば、前日の１日間に導入管１２を介して貯湯タンク１の下部に供給された水の実績温度の平均値であり、温度センサ１５により検出された温度情報から算出される。
【００３６】
この平均給水温度は、外気温に近似した温度であり、貯湯タンク１の下部には、この平均給水温度の水が貯えられ、この水を循環回路２０に循環して給湯用熱交換器２２において加熱を開始するときには、循環回路２０には、この平均給水温度の水が供給されることになる。すなわち、平均給水温度は、沸き上げ運転開始時においては、本実施形態における流通路内に供給される水の温度である。
【００３７】
一方、目標沸き上げ温度は、貯湯タンク１内の上部に貯えられる湯の目標温度である。すなわち、目標沸き上げ温度は、本実施形態における給湯用熱交換器による加熱目標温度である。
【００３８】
図２に示すように、平均給水温度が所定温度（本例では２０℃）以上、かつ目標沸き上げ温度が所定温度（本例では７０℃）以下である場合（図２に示す領域Ａである場合）には、制御装置１００は、ヒートポンプ装置２の加熱能力が、例えば４．５ｋＷとなるように運転し、それ以外の場合（図２に示す領域Ｂである場合）は、ヒートポンプ装置２の加熱能力が、例えば６ｋＷとなるように運転する。
【００３９】
すなわち、循環回路２０に供給される水の温度が所定温度より高く、かつ給湯用熱交換器２２による加熱目標温度が所定温度より低い場合には、循環回路２０に供給される水の温度が所定温度より低い場合、あるいは給湯用熱交換器２２による加熱目標温度が所定温度より高い場合よりも、ヒートポンプ装置２の加熱能力は低減される。
【００４０】
なお、ヒートポンプ装置２の加熱能力の変更は、膨張弁２３の弁開度の調節および圧縮機２１の冷媒吐出能力の調節の少なくともいずれかにより行なわれる。
【００４１】
上述のように、図２に示すマップに基づきヒートポンプ装置２の運転を開始するとともに、循環ポンプ５０を作動して循環回路２０内に水を流通させ、給湯用熱交換器２２において循環回路２０内を流通する水を加熱する。このとき、温度センサ５１が検出した温度と目標沸き上げ温度とを比較し、これらが一致するように循環ポンプ５０に作動指示を行なう。
【００４２】
このように、ヒートポンプ装置２および循環ポンプ５０を運転して、貯湯タンク１内の湯の沸き上げを行なっているときには、制御装置１００は、温度センサ５２からの温度情報に基づいて給湯用熱交換器２２に流入する水の温度（給水温度）を監視し、図３に示すマップに基づき、給水温度に応じた加熱能力となるようにヒートポンプ装置２を運転する。
【００４３】
すなわち、運転開始時にヒートポンプ装置２の加熱能力を４．５ｋＷとした場合には、給水温度が変動しても加熱能力を変更しない。一方、運転開始時にヒートポンプ装置２の加熱能力を６ｋＷとした場合には、給水温度が急変し例えば５５℃を超えたときに、加熱能力を６ｋＷから４．５ｋＷに低減する。
【００４４】
給水温度は、沸き上げ運転開始後においては、本実施形態における流通路内に供給される水の温度である。このように、ヒートポンプ装置２の高能力運転で沸き上げ運転を行なっているときに、循環回路２０に供給される水の温度が高くなった場合には、制御装置１００は、ヒートポンプ装置２の加熱能力を低減する。
【００４５】
上述の構成および作動によれば、沸き上げ運転を開始するときに、給湯用熱交換器２２による加熱目標温度が比較的低く、かつ循環回路２０内に供給される水の温度が比較的高い図２中領域Ａの場合には、図２中領域Ｂの場合よりヒートポンプ装置２の加熱能力が低減される。また、図２中領域Ｂで沸き上げ運転が開始された後も、循環回路２０内に供給される水の温度が比較的高くなった場合には、ヒートポンプ装置２の加熱能力が低減される。
【００４６】
したがって、循環ポンプ５０が循環回路２０に大量の水を流通（循環）させなくても所望の湯温を得ることができる。このようにして、大能力を有する大型の循環ポンプを用いることなく所望の湯温を得ることができる。
【００４７】
また、ヒートポンプ装置２は、二酸化炭素を冷媒とする超臨界冷凍サイクルを構成しているので、循環回路２０を流通する水を加熱して高温の湯（例えば約９０℃の湯）とすることができる。したがって、本実施形態のヒートポンプ式給湯装置によれば、大型の循環ポンプを採用することなく高温から低温まで所望の湯温を得ることができる。
【００４８】
（他の実施形態）
上記一実施形態では、制御装置１００は、平均給水温度が所定温度以上、かつ目標沸き上げ温度が所定温度以下である場合（図２に示す領域Ａである場合）には、それ以外の場合（図２に示す領域Ｂである場合）より、ヒートポンプ装置２の加熱能力を低減するものであったが、給湯用熱交換器２２による目標沸き上げ温度（加熱目標温度）の低下、もしくは循環回路２０内に供給される水の温度（給水温度）の上昇の少なくともいずれかに応じて、ヒートポンプ装置２の加熱能力を低減するものであればよい。
【００４９】
例えば、上記一実施形態における図２のマップに替えて、図４、図５、図６に示すようなマップを採用してもよい。
【００５０】
また、給湯用熱交換器２２による加熱目標温度、もしくは循環回路２０内に供給される水の温度の少なくともいずれかに応じたヒートポンプ装置２の加熱能力の変更は、上記一実施形態の図２に示すように２つの領域間で変更するものに限らず、３つ以上の領域間で変更するものであってもよい。例えば図７に示すように、高能力のＢ領域に対し加熱能力を低減したＡ１領域、さらに加熱能力を低減したＡ２領域を設定したマップを採用してもよい。
【００５１】
さらに、段階的に加熱能力を変更するのではなく、連続的に変化するものであってもよい。このようにヒートポンプ装置の加熱能力を連続的に変化するものにおいては、循環ポンプの作動条件を固定して、ヒートポンプ装置の加熱能力の変化のみで所望の湯温を得るものであってもよい。
【００５２】
また、上記一実施形態では、ヒートポンプ装置２および循環ポンプ５０を運転して、貯湯タンク１内の湯の沸き上げを行なっているときに、給湯用熱交換器２２に流入する給水温度が上昇して所定温度を超えた場合には（上記例では、運転開始時にヒートポンプ装置２の加熱能力を６ｋＷとしたときに、給水温度が急変し例えば５５℃を超えた場合には）、ヒートポンプ装置２の加熱能力を低減するものであったが、ヒートポンプ装置２の加熱能力を低減しているときに、給水温度が低下して所定温度（例えば５５℃）以下となった場合には、ヒートポンプ装置２の加熱能力を復帰させるものであってもよい。
【００５３】
また、運転開始後のヒートポンプ装置２の加熱能力の低減および復帰時においても、２つの温度領域間で加熱能力を１段階変更するものに限らず、３つ以上の温度領域間で複数段階変更するものであってもよい。さらに、段階的に加熱能力を変更するのではなく、連続的に変化するものであってもよい。
【００５４】
また、上記一実施形態では、貯湯タンク１内の下部の水をヒートポンプ装置２で加熱して、貯湯タンク１内の上部に高温の湯として貯えるものであったが、外部から供給される水を貯湯タンク内に導入される前にヒートポンプ装置２で加熱し、その後貯湯タンク内に貯えるものであってもよい。また、貯湯タンクを備えず、外部から供給される水をヒートポンプ装置２で加熱して湯とし、この湯を貯えることなく供給する給湯装置であっても本発明を適用できる。
【００５５】
また、上記一実施形態では、ヒートポンプ装置２は、膨張弁２３により等エンタルピ的に冷媒を減圧し、膨張弁２３を流出した冷媒がほぼ全て室外熱交換器２４に流入する一般的な冷凍サイクルを構成するものであったが、所謂エジェクタサイクルにも本発明を適用することができる。
【００５６】
ヒートポンプサイクル中に、給湯用熱交換器から流出した高圧冷媒の圧力エネルギーを速度エネルギーに変換して冷媒を減圧膨張させる開度を変更可能なノズル部と、ノズル部から噴射する高速の冷媒流により室外熱交換器にて蒸発した気相冷媒を吸引し、ノズル部から噴射する冷媒と室外熱交換器から吸引した冷媒とを混合させながら速度エネルギーを圧力エネルギーに変換して冷媒の圧力を昇圧させる昇圧部とを有するエジェクタを備え、エジェクタを流出した冷媒のうち液槽冷媒を室外熱交換器に供給し、気相冷媒を圧縮機に供給するエジェクタサイクルにおいても、エジェクタのノズル部を減圧装置と見なして本発明を適用することが可能である。
【００５７】
また、上記一実施形態では、ヒートポンプ装置２は、圧縮機２１で冷媒を臨界圧力以上に加圧する所謂超臨界冷凍サイクルを構成していたが、超臨界冷凍サイクルに限定されるものではない。また、冷媒は二酸化炭素であったが、これに限定されるものではない。所謂フロン等の他の冷媒であってもよい。
【図面の簡単な説明】
【図１】本発明の一実施形態におけるヒートポンプ式給湯装置の概略構成を示す模式図である。
【図２】一実施形態における沸き上げ運転開始時のヒートポンプ装置の加熱能力制御マップである。
【図３】一実施形態における沸き上げ運転開始後のヒートポンプ装置の加熱能力制御マップである。
【図４】他の実施形態における沸き上げ運転開始時のヒートポンプ装置の加熱能力制御マップである。
【図５】他の実施形態における沸き上げ運転開始時のヒートポンプ装置の加熱能力制御マップである。
【図６】他の実施形態における沸き上げ運転開始時のヒートポンプ装置の加熱能力制御マップである。
【図７】他の実施形態における沸き上げ運転開始時のヒートポンプ装置の加熱能力制御マップである。
【符号の説明】
２  ヒートポンプ装置（ヒートポンプサイクル）
１５、５１、５２  温度センサ
２０  循環回路（流通路）
２１  圧縮機
２２  給湯用熱交換器
２３  膨張弁（減圧装置）
２４  室外熱交換器（熱源用熱交換器）
５０  循環ポンプ（ポンプ手段）
１００  制御装置（制御手段）
【図１】
2004361045.tif 000003
【図２】
2004361045.tif 000004
【図３】
2004361045.tif 000005
【図４】
2004361045.tif 000006
【図５】
2004361045.tif 000007
【図６】
2004361045.tif 000008
【図７】
2004361045.tif 000009